【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
音声サービスモジュールと、
データサービスモジュールと、
発呼側デバイスとの音声通話を確立する要求を受け取ることと、
前記音声通話を受諾する前に、前記発呼側デバイスの識別子にしたがって前記データサービスモジュールを使用してデータ接続を介して前記発呼側デバイスに関するコンテキスト情報を取り出すことと、前記コンテキスト情報は、少なくとも名前、物理的位置、アバター、写真、ウェブサイト、現在のステータス、コンタクト選好、またはそれらの組み合わせを備える、を行うように構成された
ダイヤルコントローラと、
を備える、装置。
【請求項２】
ユーザインターフェースをさらに備え、前記ダイヤルコントローラはさらに、
前記ユーザインターフェースを使用して前記コンテキスト情報を着呼側デバイスのユーザに提示することと、
前記ユーザが前記音声通話を受諾するのに応答して、前記音声通話を確立する前記要求を承諾するように前記音声サービスモジュールを構成することとを行うように構成された、請求項１に記載の装置。
【請求項３】
前記ユーザインターフェースは表示装置を備える、請求項２に記載の装置。
【請求項４】
前記ユーザインターフェースは音声ベースのインターフェースを備える、請求項２に記載の装置。
【請求項５】
前記ダイヤルコントローラはさらに、前記コンテキスト情報を取り出した後で、前記音声通話を確立する前記要求を自動的に拒否するように前記音声サービスモジュールを構成するように構成された、請求項１に記載の装置。
【請求項６】
前記発呼側デバイスの前記識別子は前記発呼側デバイスの電話番号を備える、請求項１に記載の装置。
【請求項７】
前記発呼側デバイスの前記識別子は前記発呼側デバイスの電子メールアドレスを備える、請求項１に記載の装置。
【請求項８】
前記ダイヤルコントローラは、前記データサービスモジュールを使用してコンテンツサーバに照会することによってコンテキスト情報を取り出すように構成された、請求項１に記載の装置。
【請求項９】
前記ダイヤルコントローラはさらに、前記発呼側デバイスに関連する制限付きコンテキスト情報へのアクセスを要求することによって前記コンテキスト情報を取り出すように構成された、請求項１に記載の装置。
【請求項１０】
前記ダイヤルコントローラはさらに、着呼側デバイスのユーザに関するコンテキスト情報をコンテンツサーバにアップロードするように構成された、請求項１に記載の装置。
【請求項１１】
前記データサービスモジュールはショートメッセージングサービス（ＳＭＳ）を使用して通信するように構成された、請求項１に記載の装置。
【請求項１２】
前記データサービスモジュールはＴＣＰ／ＩＰを使用して通信するように構成された、請求項１に記載の装置。
【請求項１３】
前記データサービスモジュールはワイヤレスデータ接続を使用して通信するように構成された、請求項１に記載の装置。
【請求項１４】
前記ワイヤレスデータ接続は、ＨＳＤＰＡを使用するデータ転送を備える、請求項１３に記載の装置。
【請求項１５】
前記コンテキスト情報は、物理的住所と、電子メールアドレスと、インスタントメッセージング識別子とからなるグループから選択される少なくとも１つのメンバを備える、請求項１に記載の装置。
【請求項１６】
前記ダイヤルコントローラは、前記コンテキスト情報に関連するオーディオを再生することによって前記コンテキスト情報を提示するように構成された、請求項２に記載の装置。
【請求項１７】
音声サービスモジュールと、
データサービスモジュールと、
着呼側デバイスとの音声通話を開始する前に、前記着呼側デバイスの識別子にしたがって前記データサービスモジュールを使用して前記着呼側デバイスに関するコンテキスト情報を取り出すことと、
ユーザインターフェースを使用して前記着呼側デバイスに関する前記コンテキスト情報を提示することと、
前記音声サービスモジュールを使用して前記着呼側デバイスとの音声通話を開始することと、
前記着呼側デバイスに、発呼側デバイスに関するコンテキスト情報へのアクセスを承諾することと、前記コンテキスト情報は、前記コンテキスト情報は、少なくとも名前、物理的位置、アバター、写真、ウェブサイト、現在のステータス、コンタクト選好、またはそれらの組み合わせを備える、
前記音声通話が確立される前にデータ接続を使用して前記発呼側デバイスと前記着呼側デバイスとの間で前記発呼側デバイスに関する前記コンテキスト情報を交換することと、
前記着呼側デバイスとの前記音声通話を確立することと、を行うように構成された
ダイヤルコントローラと、
を備える装置。
【請求項１８】
前記ダイヤルコントローラは、コンテンツサーバに照会することによってコンテキスト情報を取り出すように構成された、請求項１７に記載の装置。
【請求項１９】
前記データサービスモジュールは、ワイヤレスデータ接続を介した通信をサポートするモジュールを備える、請求項１７に記載の装置。
【請求項２０】
前記ダイヤルコントローラは、制限付きコンテキスト情報へのアクセスを前記着呼側デバイスに承諾することによって前記着呼側デバイスとデータを交換するように構成された、請求項１７に記載の装置。
【請求項２１】
前記ダイヤルコントローラはさらに、前記データサービスモジュールを使用してコンテキスト情報をコンテンツサーバにアップロードするように構成された、請求項１７に記載の装置。
【請求項２２】
着呼側デバイスにおいて、
音声通話を確立する要求を発呼側デバイスから受け取ることと、
前記音声通話を受諾する前に、前記発呼側デバイスの識別子に従ってデータ接続を介して発呼側デバイスに関するコンテキスト情報を取り出すことと、前記コンテキスト情報は、少なくとも名前、物理的位置、アバター、写真、ウェブサイト、現在のステータス、コンタクト選好、またはそれらの組み合わせ、を備える方法。
【請求項２３】
前記コンテキスト情報を前記着呼側デバイスのユーザに提示することと、
前記ユーザが前記音声通話を受諾するのに応答して、前記音声通話を確立する前記要求を承諾することとをさらに備える、請求項２２に記載の方法。
【請求項２４】
前記コンテキスト情報を取り出すのに応答して、前記音声通話を確立する前記要求を自動的に拒否することをさらに備える、請求項２２に記載の方法。
【請求項２５】
前記発呼側デバイスの前記識別子は前記発呼側デバイスの電話番号を備える、請求項２２に記載の方法。
【請求項２６】
前記コンテキスト情報を提示することは、前記着呼側デバイスの表示装置上に前記情報を表示することを備える、請求項２２に記載の方法。
【請求項２７】
前記コンテキスト情報を提示することは、前記着呼側デバイスのオーディオインターフェースを使用して前記情報を提示することを備える、請求項２２に記載の方法。
【請求項２８】
前記コンテキスト情報を取り出すことはさらに、前記音声通話を確立する前記要求を承諾する前に前記発呼側デバイスに関連する制限付きコンテキスト情報へのアクセスを要求することを備える、請求項２２に記載の方法。
【請求項２９】
前記着呼側デバイスのユーザに関するコンテキスト情報をコンテンツサーバにアップロードすることをさらに備える、請求項２２に記載の方法。
【請求項３０】
発呼側デバイスにおいて、
着呼側デバイスとの音声通話が確立される前に、前記着呼側デバイスの識別子にしたがって着呼側デバイスに関するコンテキスト情報を取り出すことと、
前記発呼側デバイスのユーザに前記着呼側デバイスに関する前記コンテキスト情報を提示することと、
前記着呼側デバイスとの音声通話を開始することと、
前記着呼側デバイスに、前記発呼側デバイスに関するコンテキスト情報へのアクセスを承諾することと、前記コンテキスト情報は、少なくとも名前、物理的位置、アバター、写真、ウェブサイト、現在のステータス、コンタクト選好、またはそれらの組み合わせを備える、
前記音声通話が確立される前にデータ接続を使用して前記発呼側デバイスと前記着呼側デバイスとの間で前記発呼側デバイスに関する前記コンテキスト情報を交換することと、
前記着呼側デバイスとの前記音声通話を確立することと、
を備える、方法。
【請求項３１】
前記コンテキスト情報を取り出すことはさらに、データ接続を用いてコンテンツサーバに照会することを備える、請求項３０に記載の方法。
【請求項３２】
発呼側デバイスから音声通話を確立する要求を受け取るための手段と、
前記音声通話を受諾する前に、前記発呼側デバイスの識別子にしたがってデータ接続を介して前記発呼デバイスに関するコンテキスト情報を取り出すための手段と、前記コンテキスト情報は少なくとも名前、物理的位置、アバター、写真、ウェブサイト、現在のステータス、コンタクト選好、またはそれらの組み合わせを備える、
を備える装置。
【請求項３３】
着呼側デバイスとの音声通話が確立される前に、前記着呼側デバイスの識別子にしたがって前記着呼側デバイスに関するコンテキスト情報を取り出すための手段と、
発呼側デバイスのユーザに前記着呼側デバイスに関する前記コンテキスト情報を提示するための手段と、
前記着呼側デバイスとの音声通話を開始するための手段と、
前記着呼側デバイスに、前記発呼側デバイスに関するコンテキスト情報へのアクセスを承諾するための手段と、前記コンテキスト情報は、少なくとも名前、物理的位置、アバター、写真、ウェブサイト、現在のステータス、コンタクト選好、またはそれらの組み合わせを備える、
前記音声通話が確立される前にデータ接続を使用して前記発呼側デバイスと前記着呼側デバイスの間で前記発呼側デバイスに関する前記コンテキスト情報を交換するための手段と、
前記着呼側デバイスとの前記音声通話を確立するための手段、
を備える、装置。